(57)【特許請求の範囲】
【請求項１】
浴室の給湯配管系に接続される噴出湯管に設けた加熱用湯噴出ノズルから加熱湯を噴出させると同時に、この加熱用湯噴出ノズルからの加熱湯の噴出による負圧作用により、前記浴室内の空気を吸気口から吸気するとともに、吹出口から加熱空気を排出させてなる一方、前記吸気口付近に温度検知機器を設置して、前記浴室内の温度制御を行なうようにしたミストサウナ装置において、
前記噴出湯管に装置稼働時に常時加熱湯が噴出する測温用湯噴出ノズルを設けたことを特徴とするミストサウナ装置。
【発明の詳細な説明】
【０００１】
【発明の属する技術分野】
この発明は、例えば一般家庭の浴室などに設置される湯噴射式のミストサウナ装置に関し、特に、浴室内の温度検知手段に工夫を施すことにより、浴室内の温度制御を正確に行なえるようにしたものである。
【０００２】
【従来の技術】
例えばマンション等の集合住宅などにおけるユニットバスルーム内にミストサ装置を設置して、バスルームをサウナルームとして兼用してなるものが開発され実用に供されている。
【０００３】
従来、この種のミストサウナ装置においては、例えばユニット本体の外装体の上部に浴室の給湯配管系に接続される噴出湯管を設け、この噴出湯管に設けた加熱用湯噴出ノズルから加熱湯を熱交換器に向け噴出させるとともに、外装体の下部にファンユニットを設け、このファンユニットにて外装体の上部に設けた吸気口から浴室内の空気を吸気すると同時に、外装体の下部に設けた吹出口から熱交換器にて熱交換された加熱空気を吹き出させてなる構成を有するものがある。
【０００４】
そして、このようなユニット本体の外装体内の吸気口付近、あるいは、外装体外の吸気口付近の浴室内壁面や浴室内壁面に設置されるリモートコントローラには、浴室内の温度を測温する温度検知機器としてのサーミスタが設置され、このサーミスタによる浴室温の検知によって加熱用湯噴出ノズルからの加熱湯の噴出を制御し、浴室内の温度制御が行なわれるようになっている。
【０００５】
【発明が解決しようとする課題】
しかしながら、上記した従来構造のミストサウナ装置にあっては、ファンユニットが停止したり、湯噴出ノズルからの加熱湯の噴射を止めると、ファンユニットによる吸気、あるいは、湯噴出ノズルの噴射にて発生する負圧作用よる吸気機能も停止し、これによって、装置稼働中においてサーミスタに浴室内の空気が当たらないために、サーミスタによる正確な測温が行なえず、温度制御時の浴室温の変動が大きいことから、加熱再開時のタイミングが分からないばかりでなく、サーミスタに対する施工・配線が面倒である。
【０００６】
しかも、外装体内にファンユニットを組み込んでなるために、装置全体として高価となり、メンテナンスも容易に行なうことができない。
【０００７】
また従来、噴出湯管に設けた加熱用湯噴出ノズルから加熱湯を噴射させると同時に、その加熱湯の噴射による負圧作用により外装体の上部に設けた吸気口から浴室内の空気を吸気するとともに、加熱湯の噴射にて熱交換された加熱空気を外装体の下部に設けた吹出口から吹き出させてなる構成を有する湯噴射式のミストサウナ装置がある。
【０００８】
このような湯噴射式のミストサウナ装置は、外装体内にファンユニットを組み込む必要がないために、装置全体としてのコストダウンやメンテナンスの向上を図ることができる反面、加熱と吸気とを加熱用湯噴出ノズルからの加熱湯の噴射による負圧作用と同時に行なっていることから、装置稼働中における温度制御時の加熱用湯噴出ノズルからの加熱湯の噴射を一時的に停止した際、吸気機能も止まり、これによって、サーミスタによる浴室内の空気の正確な温度の測温が不能になって、浴室内温度制御時の加熱再開タイミングを把握することができないという問題があった。
【０００９】
この発明の目的は、装置稼働中における浴室内温度制御時の加熱再開タイミングを容易に把握し、浴室内の温度の測温が正確に行なうことができるようにしたミストサウナ装置を提供することにある。
【００１０】
【課題を解決するための手段】
上記した課題を解決するために、この発明は、浴室の給湯配管系に接続される噴出湯管に設けた加熱用湯噴出ノズルから加熱湯を噴出させると同時に、この加熱用湯噴出ノズルからの加熱湯の噴出による負圧作用により、前記浴室内の空気を吸気口から吸気するとともに、吹出口から加熱空気を排出させてなる一方、前記吸気口付近に温度検知機器を設置して、前記浴室内の温度制御を行なうようにしたミストサウナ装置において、前記噴出湯管に装置稼働時に常時加熱湯が噴出する測温用湯噴出ノズルを設けてなる構成としたものである。
【００１１】
【発明の実施の形態】
以下、この発明の実施の形態を図面を参照しながら詳細に説明すると、図１はこの発明に係る湯噴射式のミストサウナ装置が設置された浴室内の全体構成を示すもので、図中１はミストサウナ装置のユニット本体である。
【００１２】
このユニット本体１は、図２及び図３に示すように、外装体２と、この外装体２内の上部に配設された加熱湯Ｈ・Ｗの給湯配管系に第１の電磁弁３を介して接続される噴出湯管４と、この噴出湯管４に接続されて設けた複数の加熱用湯噴出ノズル５と、これら加熱用湯噴出ノズル５が接続される前記噴出湯管４に分岐させて第２の電磁弁６を介して設けた少量の加熱湯Ｈ・Ｗが噴射可能な測温用湯噴出ノズル７とを備えてなる構成を有する。
【００１３】
そして、前記各々の加熱用湯噴出ノズル５及び測温用湯噴出ノズル７からは、装置稼働中において給湯配管系からの加熱湯Ｈ・Ｗが噴射されると同時に、その加熱湯Ｈ・Ｗの噴射による負圧作用により、前記外装体２の上部に設けた吸気口２１から浴室内の空気Ａを吸気するようになっているとともに、加熱湯Ｈ・Ｗにて熱交換された加熱空気Ｂを前記外装体２の下部に設けた吹出口２２から浴室内に向け吹き出させるようになっている。
【００１４】
また、図中８は前記吸気口２１付近の外装体２内に設置された温度検知機器としてのサーミスタで、このサーミスタ８は、前記各々の加熱用湯噴出ノズル５及び測温用湯噴出ノズル７から噴射される加熱湯Ｈ・Ｗが直接当たらない位置に設置されているとともに、装置稼働中において前記各々の加熱用湯噴出ノズル５及び測温用湯噴出ノズル７から噴射される加熱湯Ｈ・Ｗの噴射による負圧作用により吸気される浴室内の空気Ａの温度を検知するようになっている。
【００１５】
すなわち、この発明に係るミストサウナ装置は、図４にタイミングチャートで示すように、運転スイッチのＯＮによる装置稼働開始時、第１及び第２の電磁弁３，６が開弁されて各々の加熱用湯噴出ノズル５及び測温用湯噴出ノズル７から加熱湯Ｈ・Ｗが噴射されると同時に、その加熱湯Ｈ・Ｗの噴射による負圧作用により浴室内の空気Ａを外装体２の上部の吸気口２１から吸気し、加熱湯Ｈ・Ｗにて熱交換された加熱空気Ｂを外装体２の下部に設けた吹出口２２から浴室内に向け吹き出させる。
【００１６】
そして、吸気口２１付近の外装体２内に設置されたサーミスタ８は、外装体２の上部の吸気口２１から吸気される浴室内の空気Ａを検知し、その検知温度の測定結果に応じて第１の電磁弁３を開閉制御することにより、加熱用湯噴出ノズル５から加熱湯Ｈ・Ｗを断続的に噴射させて浴室温の温度制御が行なわれる。
【００１７】
このとき、装置稼働中における第１の電磁弁３の閉弁による各々の加熱用湯噴出ノズル５からの加熱湯Ｈ・Ｗの停止時にあっても、測温用湯噴出ノズル７からは少量の加熱湯Ｈ・Ｗが常時噴射され、その加熱湯Ｈ・Ｗの噴射による負圧作用により浴室内の空気Ａが吸気されるようになっているために、サーミスタ８は、装置稼働中、常に浴室内の空気Ａの温度を検知している。
【００１８】
これによって、加熱時の加熱湯Ｈ・Ｗの温度上昇速度から加熱再開タイミングが予測可能となるために、温度制御時の浴室温の変動が小さく、浴室内の温度制御が正確に行なえる。
【００１９】
【発明の効果】
以上の説明から明らかなように、この発明は、浴室の給湯配管系に接続される噴出湯管に設けた加熱用湯噴出ノズルから加熱湯を噴出させると同時に、この加熱用湯噴出ノズルからの加熱湯の噴出による負圧作用により、浴室内の空気を吸気口から吸気して、吹出口から加熱空気を排出させるとともに、吸気口付近に設置された温度検知機器にて浴室内の温度制御を行なうようにしたミストサウナ装置において、噴出湯管に装置稼働時に常時加熱湯が噴出する測温用湯噴出ノズルを設けてなることから、装置稼働中における加熱用湯噴出ノズルからの加熱湯の停止時にあっても、測温用湯噴出ノズルからは加熱湯が常時噴射されて、その加熱湯の噴射による負圧作用により浴室内の空気が常に吸気され、温度検知機器は、装置稼働中、常に浴室温を検知することができる。
【００２０】
これによって、加熱時の加熱湯の温度上昇速度から加熱再開のタイミングを容易に予測することができるために、温度制御時の浴室温の変動を小さくすることができ、浴室内の温度制御を正確に行なうことができる。
【００２１】
しかも、従前のように、浴室内側に別途温度検知機器を設置したり、外装体内にファンユニットを設置する必要がないために、施工・配線を容易に行なうことができるとともに、装置全体のコストダウンやメンテナンスの向上を図ることができる。
【図面の簡単な説明】
【図１】この発明に係るミストサウナ装置の浴室内への設置状態を示す概略的説明図。
【図２】同じくミストサウナ装置の拡大断面図。
【図３】同じく給湯配管系に接続される噴出湯管への加熱用湯噴出ノズルと測温用湯噴出ノズルの配設状態の説明図。
【図４】同じく温度制御状態のタイミングチャート。
【符号の説明】
１……ユニット本体、
２……外装体、
２１……吸気口、
２２……吹出口、
３……第１の電磁弁、
４……噴出湯管、
５……加熱用湯噴出ノズル、
６……第２の電磁弁、
７……測温用湯噴出ノズル、
８……温度検知機器（サーミスタ）、
Ｈ・Ｗ……湯、
Ａ……浴室内空気、
Ｂ……加熱空気。
【図１】
0003567049.tif 000002
【図２】
0003567049.tif 000003
【図３】
0003567049.tif 000004
【図４】
0003567049.tif 000005